(57)【要約】【課題】一般道路での牽引走行はできない（保安部品の取付、車検の手続き等によって可能）ものの、作業作業敷地内では、自走式選別装置と同等の機動性を有し、又、選別装置や搬送装置の駆動手段を別途に用意することなく、稼動できるようにした牽引式選別装置の提供。【解決手段】牽引時の走行輪と設置時の支持輪を兼ねた左右１対の車輪１０を備えた支持フレーム１１に、油圧駆動による選別装置１２及び搬送装置１３，１４，１５，１６が搭載された選別ユニット１と、少なくとも油圧設備５３が走行機台５２に搭載された牽引用重機５を備え、前記選別ユニットの支持フレームが牽引用重機の走行機台に着脱可能に連結され、その連結状態のまま牽引用重機の走行により選別ユニットを移動させると共に、その連結状態のまま選別ユニットを設置させることができるようにした。【選択図】　　　図１
0003098061.tif 000002
【実用新案登録請求の範囲】
【請求項１】
牽引時の走行輪と設置時の支持輪を兼ねた左右１対の車輪を備えた支持フレームに、油圧駆動による選別装置及び搬送装置が搭載された選別ユニットと、
少なくとも油圧設備が走行機台に搭載された牽引用重機を備え、
前記選別ユニットの支持フレームが牽引用重機の走行機台に着脱可能に連結され、その連結状態のまま牽引用重機の走行により選別ユニットを移動させると共に、その連結状態のまま選別ユニットを設置及び稼動させることができるようにしたことを特徴とする牽引式選別装置。
【考案の詳細な説明】
【０００１】
【考案の属する技術分野】
本考案は、土砂、天然石、コンクリートガラやアスファルトガラ等の産業廃棄物を所定の大きさに選別するための牽引式選別装置であって、特に、選別ユニットの移動手段及び駆動手段として牽引用重機を用いた牽引式選別装置に関する。
【０００２】
【従来の技術】
従来、選別設備としては、定置式、自走式、牽引式等さまざまな形態で広く使用されている。
このうち、選別ユニットを牽引するようにした牽引式選別装置としては、例えば、図２及び図３に示すようなものが知られている。
この牽引式選別装置で用いられる選別ユニット１は、牽引時の走行輪と設置時の支持輪を兼ねた左右１対の車輪１０を備えた支持フレーム１１（シャーシ）に、油圧駆動による選別装置１２（振動スクリーン若しくはトロンメル等の選別機）及び各種の搬送コンベア（原料搬送コンベア１３、オーバーサイズコンベア１４、中間サイズコンベア１５、アンダーサイズコンベア１６）等を搭載したものである。
【０００３】
使用に際しては、図２に示すように、車輪１０及びアウトリガー１８、支持脚１９によって支持フレーム１１を固定し、原料を原料搬送コンベア１３で選別装置１２に送り、この選別装置１２でサイズ毎に選別しながら、選別後の選別物をオーバーサイズコンベア１４、中間サイズコンベア１５、アンダーサイズコンベア１６で取り下ろすようになっている。
【０００４】
また、選別ユニット１を移動させるには、図３に示すように、支持フレーム１１を牽引車両であるトレーラヘッド９に連結して、このトレーラヘッド９により牽引移動するようになっていた。尚、出願人が知っている先行技術は、文献公知発明に係るものではない。
【０００５】
【考案が解決しようとする課題】
しかしながら、このようなトレーラヘッドを用いた牽引式選別装置では、一般道路を牽引走行するには適しているものの、このトレーラヘッドは、選別ユニットを駆動させるための手段、即ち、油圧設備又はジェネレータ等の電源設備を備えていないため、移動後、選別ユニットを使用するに際しては、別途に油圧設備又は電源設備（商用電源を用いても良い）を用意し、これを選別装置や搬送装置につないで稼動させる必要がある。
【０００６】
従来の牽引式選別装置では、作業敷地内を移動する度に、電源設備をつないで電力を供給し、稼動させることが多く、この場合、ジェネレータ、配線、配電設備まで同時に移動させるのに手間が掛かるし、特に、商用電源を用いた場合、その移設に多大な手間がかかるという問題があった。
【０００７】
なお、選別ユニットの支持フレームに油圧設備又は電源設備を搭載したものもあるが、その設置スペースを確保するため、選別ユニットそのものが大きくなりやすく、無理にコンパクトに設計される為、メンテナンス性が悪くなりやすい。又、設備の市場価格も割高になりやすいという問題があった。
【０００８】
又、自走式選別装置の場合は、一般道路は自走できない為、回送車（トレーラ）に積んで移動し、作業敷地内のみ自走して移動し、走行用台車に搭載されている油圧設備によって、選別装置や搬送装置を稼動させている。
この自走式選別装置は、作業敷地内での移動には最も適しているが、設備が複雑になり、メンテナンス性も悪く、市場価格も高価である。しかも、選別装置や搬送装置が大型のものが搭載されにくく、処理能力の面で不利になるという問題があった。
【０００９】
本考案は、上述のような従来の問題点を解決するためになされたもので、一般道路での牽引走行はできない（保安部品の取付、車検の手続き等によって可能）ものの、作業作業敷地内では、自走式選別装置と同等の機動性を有し、又、選別装置や搬送装置の駆動手段を別途に用意することなく、稼動できるようにした牽引式選別装置を提供することを課題としている。
【００１０】
【課題を解決するための手段】
上記の課題を解決するために、本考案の牽引式選別装置は、
牽引時の走行輪と設置時の支持輪を兼ねた左右１対の車輪を備えた支持フレームに、油圧駆動による選別装置及び搬送装置が搭載された選別ユニットと、
少なくとも油圧設備が走行機台に搭載された牽引用重機を備え、
前記選別ユニットの支持フレームが牽引用重機の走行機台に着脱可能に連結され、その連結状態のまま牽引用重機の走行により選別ユニットを移動させると共に、その連結状態のまま選別ユニットを設置及び稼動させることができるように構成した。
【００１１】
【考案の実施の形態】
以下、本考案の実施の形態を図面に示す実施例により詳述する。
図１は本考案の１実施例である牽引式選別装置を示す側面図である。
この牽引式選別装置は、選別ユニット１と牽引用重機５の組み合わせで構成されている。
【００１２】
選別ユニット１は、前記図２で示したものと同様構造のもので、牽引時の走行輪と設置時の支持輪を兼ねた左右１対の車輪１０を備えた支持フレーム１１（シャーシ）に、油圧駆動による選別装置１２（振動スクリーン若しくはトロンメル等の選別機）及び各種の搬送コンベア（原料搬送コンベア１３、オーバーサイズコンベア１４、中間サイズコンベア１５、アンダーサイズコンベア１６）等が搭載されている。
【００１３】
又、前記牽引用重機５は、クローラ走行装置５０及び操縦装置５１を備えた走行機台５２に、油圧ポンプ等の油圧設備５３が搭載されている。なお、この油圧設備５３と共に、ジェネレータ等の電源設備を搭載することは任意である。
【００１４】
そして、この牽引用重機５の走行機台５２に、前記選別ユニット１の支持フレーム１１をキングピン２（旋回支点・支持部材）によって着脱可能に連結して、選別ユニット１を牽引用重機５に連結している。
この場合、前記油圧設備５３を選別ユニット１の選別装置１２及び各種の搬送コンベア１３，１４，１５，１６、それに油圧シリンダ１７やアウトリガー１８等に油圧配管（図示省略）で接続して、これらを油圧設備５３により駆動できるようにしている。
尚、選別ユニット１が大型の場合は、選別ユニット１及び牽引用重機５のそれぞれにブレーキシステムを設けておくのが好ましい。
【００１５】
このようにして、選別ユニット１を牽引用重機５に連結して牽引式選別装置を構成するもので、その連結状態のまま牽引用重機５の走行により選別ユニット１を移動させると共に、その連結状態のまま選別ユニット１を設置させることができるようにしている。
【００１６】
使用に際しては、牽引用重機５と車輪１０によって支持フレーム１１を固定し（必要に応じてアウトリガー１８を使用する）、この状態で、原料を原料搬送コンベア１３で選別装置１２に送り、この選別装置１２でサイズ毎に選別しながら、選別後の選別物をオーバーサイズコンベア１４、中間サイズコンベア１５、アンダーサイズコンベア１６で取り下ろすようになっている。このとき、原料搬送コンベア１３の傾斜角度を油圧シリンダ１７及び支持脚１９によって調整することができる。
【００１７】
また、選別ユニット１を移動させるには、選別ユニット１を牽引用重機５に連結したまま、牽引用重機５によって牽引走行させるもので、ただ、一般道路での走行はできないため、その移動範囲は作業作業敷地内に限られる。
【００１８】
【考案の効果】
以上、説明したように、本考案の牽引式選別装置によれば、一般道路での自走はできない（保安部品の取付、車検の手続き等によって可能）が、作業敷地内の移動は、自走式と同等の機動性を持つ。
又、牽引用重機に搭載されている油圧設備を用いて選別装置や搬送装置を稼動でき、また移動時と稼動時で油圧駆動によってシリンダ等によって搬送装置上げ下げさせたり、または屈折させる等の収納・設置作業が容易に行える。
また、油圧設備と選別装置や搬送装置を接続させる油圧配管は、作業敷地内に設置されている間はつないだままで作業できるので、面倒な動力源の移設、配線の作業が発生しない。
また、自走式選別装置と同等の機動性を持ちながら、更に規模の大きい設備が容易に設計できるし、市場に供給することができる。また、無理にコンパクトにする必要がなく、良好なメンテナンス性が確保され、配電盤等の制御機器は牽引用重機の油圧回路によって補われるので設備のコストも安価となる。
【図面の簡単な説明】
【図１】本考案の１実施例である牽引式選別装置の側面図である。
【図２】従来の牽引式選別装置に用いられる選別ユニットの側面図である。
【図３】従来の牽引式選別装置を示す側面図である。
【符号の説明】
１　　　　選別ユニット
１０　車輪
１１　支持フレーム
１２　選別装置
１３　原料搬送コンベア
１４　オーバーサイズコンベア
１５　中間サイズコンベア
１６　アンダーサイズコンベア
１７　油圧シリンダ
１８　アウトリガー
１９　支持脚
２　キングピン
５　牽引用重機
５０　クローラ走行装置
５１　操縦装置
５２　走行機台
５３　油圧設備
９　トレーラヘッド
【図１】
0003098061.tif 000003
【図２】
0003098061.tif 000004
【図３】
0003098061.tif 000005